【手続補正書】
【提出日】平成17年7月27日(2005.7.27)
【手続補正１】
【補正対象書類名】特許請求の範囲
【補正対象項目名】請求項２
【補正方法】変更
【補正の内容】
【請求項２】
式（１）：
【化２】
2004537583.tif 000001
（式中、
Ｌは、独立に、化学反応中に除かれ得る１種以上の基であり；
Ｍは、ロジウム、ルテニウム、イリジウム、コバルト、鉄、マンガン、クロム、タングステン、モリブデン、ニッケル、パラジウム、もしくは白金であり；
Ｙは、場合によっては置換されていてもよいＣ1-5アルキルもしくはアルキルアリール、又は場合によっては置換されていてもよいシリルブリッジ、又は場合によっては置換されていてもよいヘテロ原子含有ブリッジを含む結合鎖であり；
Ａは、金属に結合し得る原子（キャリー置換基でもよい）、好ましくはＰＲ8Ｒ9、ＮＲ8、ＮＲ8Ｒ9Ｏ、ＯＲ8、ＳもしくはＳＲ8（式中、Ｒ8 及びＲ9 は、独立に、水素、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキル、ヘテロアリールオキシアルキル、トリアルキルシリル、ジアルキルアリールシリル、アルキルジアリールシリル、トリアリールシリル、アシル、アリールスルホネート、アルキルスルホネートである）であり；及び、
（a）Ｒ5及びＲ6は、水素であり；
Ｒ1及びＲ2は、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又はＲ2は、上述のものであり且つＲ1はＹに結合して、場合によってはヒドロキシ、トリアルキルシリル、アルキル、アルコキシ、アリール、アリールアルキル、アリールオキシアリル、アルコキシアルキル、アルコキシアルコキシアルキル、シクロアルキル、シクロアルキルアルキル、ヘテロアリール、ヘテロアリールアルキル若しくはヘテロアリールオキシアルキルで置換されていてもよい不斉置換Ｃ3-8シクロアルキル、Ｃ3-8シクロアルケニルもしくはＣ3-8複素環を形成し；又はＲ2は、上述のものであり且つＲ1はＡに結合して、場合によっては置換されていてもよい複素環を形成し；Ｒ3及びＲ4は、同一又は異なっていて、Ｒ1及びＲ2に関して既に記載した置換基から選択され、さらに、独立に、水素でもよく；又は、Ｒ2とＲ3、Ｒ3とＲ4の１種以上は結合して、場合によっては１種以上のヘテロ原子を含んでいてもよい場合によっては置換されていてもよい環を形成する；
あるいは
（b）Ｒ3は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；且つ
（i）Ｒ5とＲ2とは結合して、場合によっては１種以上のヘテロ原子を含んでいてもよい場合によっては置換されていてもよい非芳香族環系を形成し；及び
Ｒ1、Ｒ4及びＲ6は、独立に、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又は、
Ｒ1とＲ6とは結合して、場合によっては１種以上のヘテロ原子を含んでいてもよい場合によっては置換されていてもよい非芳香族環系を形成し、且つＲ4は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又は、
Ｒ4とＲ6とは結合して、場合によっては１種以上のヘテロ原子を含んでいてもよい場合によっては置換されていてもよい環系を形成し、且つＲ1は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルである；
あるいは、
（ii）Ｒ5、Ｒ1及びＲ2は、場合によっては１種以上のヘテロ原子を含んでいてもよい場合によっては置換されていてもよい非芳香族不斉環系を形成する態様で結合されており；且つＲ4及びＲ6は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又はＲ4とＲ6とは、場合によっては１種以上のヘテロ原子を含んでいてもよい場合によっては置換されていてもよい環系を形成する態様で結合されている、のいずれかである）
の化合物。
【手続補正２】
【補正対象書類名】特許請求の範囲
【補正対象項目名】請求項３
【補正方法】変更
【補正の内容】
【請求項３】
式（２）又は（３）：
【化３】
2004537583.tif 000002
（式中、
Ｌは、独立に、化学反応中に除かれ得る１種以上の基であり；
Ｍは、ロジウム、ルテニウム、イリジウム、コバルト、鉄、マンガン、クロム、タングステン、モリブデン、ニッケル、パラジウム、若しくは白金であり；
Ｙは、場合によっては置換されていてもよいＣ1-5アルキルもしくはアルキルアリール、又は場合によっては置換されていてもよいシリルブリッジ、又は場合によっては置換されていてもよいヘテロ原子含有ブリッジを含む結合鎖であり；
Ａは、金属に結合し得る原子（キャリー置換基でもよい）、好ましくはＰＲ8Ｒ9、ＮＲ8、ＮＲ8Ｒ9、ＳＲ8であり；
Ｒ1は、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又はＲ1はＹに結合して、ヒドロキシ、トリアルキルシリル、アルキル、アルコキシ、アリール、アリールアルキル、アリールオキシアリル、アルコキシアルキル、アルコキシアルコキシアルキル、シクロアルキル、シクロアルキルアルキル、ヘテロアリール、ヘテロアリールアルキルもしくはヘテロアリールオキシアルキルで場合によっては置換されていてもよい不斉置換Ｃ3-8シクロアルキル、Ｃ3-8シクロアルケニル若しくはＣ3-8複素環を形成し；又はＲ1はＡに結合して、場合によっては置換されていてもよい複素環を形成し；
Ｒ4は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；
Ｒ6は、水素であり；及び
Ｔ1、Ｔ2、Ｔ3、Ｔ4は、同一又は異なっていて、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルである）
の化合物。
【手続補正３】
【補正対象書類名】明細書
【補正対象項目名】００２３
【補正方法】変更
【補正の内容】
【００２３】
（式中：
Ｌは、独立に、化学反応中に除かれ得る１種以上の基であり；
Ｍは、ロジウム、ルテニウム、イリジウム、コバルト、鉄、マンガン、クロム、タングステン、モリブデン、ニッケル、パラジウムもしくは白金であり；
Ｙは、場合によっては置換されていてもよいＣ1-5アルキルもしくはアルキルアリール、又は場合によっては置換されていてもよいシリルブリッジ、又は場合によっては置換されていてもよいヘテロ原子含有ブリッジを含む結合鎖であり；
Ａは、金属に結合してもよい原子（キャリー置換基でもよい）であり、好ましくはＰＲ8Ｒ9、ＮＲ8、ＮＲ8Ｒ9 Ｏ、ＯＲ8、ＳもしくはＳＲ8であり、ここでＲ8及びＲ9は、独立に 水素、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキル、ヘテロアリールオキシアルキル、トリアルキルシリル、ジアルキルアリールシリル、アルキルジアリールシリル、トリアリールシリル、アシル、アリールスルホネート、アルキルスルホネートであってもよく；及び、
（ａ）Ｒ5及びＲ6は、水素であり；
Ｒ1及びＲ2は、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであるか；又はＲ2は上述のものであり、且つＲ1はＹに結合して、場合によってはヒドロキシ、トリアルキルシリル、アルキル、アルコキシ、アリール、アリールアルキル、アリールオキシアリル、アルコキシアルキル、アルコキシアルコキシアルキル、シクロアルキル、シクロアルキルアルキル、ヘテロアリール、ヘテロアリールアルキルもしくはヘテロアリールオキシアルキルで置換されていてもよい不斉置換Ｃ3-8シクロアルキル、Ｃ3-8シクロアルケニル又はＣ3-8複素環であり；又はＲ2は上述のものであり、且つＲ1はＡに結合して、場合によっては置換されていてもよい複素環を形成し；Ｒ3及びＲ4は同一又は異なっていて、Ｒ1及びＲ2に関してすでに記載した置換基から選択され、さらには独立に水素でもよく；又は、Ｒ2とＲ3、Ｒ3とＲ4の１種以上は結合して、場合によっては１種以上のヘテロ原子を含んでいてもよい場合によっては置換されていてもよい環を形成する、
あるいは：
（ｂ）Ｒ3は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；及び、
（ｉ）Ｒ5及びＲ2は結合して、場合によっては１種以上のヘテロ原子を含んでいてもよい場合によっては置換されていてもよい非芳香族環系を形成し；及び
Ｒ1、Ｒ4及びＲ6は、独立に、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又は
Ｒ1とＲ6とは結合して、場合によっては１種以上のヘテロ原子を含んでいてもよい場合によっては置換されていてもよい非芳香族環系を形成し、且つＲ4は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであり；又は
Ｒ4とＲ6とは結合して、場合によっては１種以上のヘテロ原子を含んでいてもよい場合によっては置換されていてもよい環系を形成し、且つＲ1は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキル若しくはヘテロアリールオキシアルキルである；
あるいは、
（ii）Ｒ5とＲ1とＲ2とは、１種以上のヘテロ原子を含む場合によっては置換されていてもよい非芳香族不斉環系を形成する態様で結合し；且つＲ4及びＲ6は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであるか；又はＲ4とＲ6とは結合して、場合によっては１種以上のヘテロ原子を含んでいてもよい場合によっては置換されていてもよい環系を形成する）
の化合物が提供される。
【手続補正４】
【補正対象書類名】明細書
【補正対象項目名】００３０
【補正方法】変更
【補正の内容】
【００３０】
（式中：
Ｌは、独立に、化学反応中に除かれ得る１種以上の基であり；
Ｍは、ロジウム、ルテニウム、イリジウム、コバルト、鉄、マンガン、クロム、タングステン、モリブデン、ニッケル、パラジウム、又は白金であり；
Ｙは、場合によっては置換されていてもよいＣ1-5アルキル若しくはアルキルアリール、又は場合によっては置換されていてもよいシリルブリッジ、又は場合によっては置換されていてもよいヘテロ原子含有ブリッジを含む結合鎖であり；
Ａは、金属に結合してもよい原子（キャリー置換基でもよい）、好ましくはＰＲ8Ｒ9、ＮＲ8、ＮＲ8Ｒ9、ＳＲ8であり；
Ｒ1は、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルであるか；又はＲ1はＹに結合して、ヒドロキシ、トリアルキルシリル、アルキル、アルコキシ、アリール、アリールアルキル、アリールオキシアリル、アルコキシアルキル、アルコキシアルコキシアルキル、シクロアルキル、シクロアルキルアルキル、ヘテロアリール、ヘテロアリールアルキル若しくはヘテロアリールオキシアルキルで場合によっては置換されていてもよい不斉置換Ｃ3-8シクロアルキル、Ｃ3-8シクロアルケニル又はＣ3-8複素環であるか；又はＲ1はＡと結合して、場合によっては置換されていてもよい複素環を形成し；
Ｒ4は、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキル又はヘテロアリールオキシアルキルであり；
Ｒ5及びＲ6は、水素であり；及び
Ｔ1、Ｔ2、Ｔ3、Ｔ4は、同一又は異なっていて、水素、トリアルキルシリル、ジアルキルアリールシリル、アルキルジアリールシリル、トリアリールシリル、アルキル、アリール、アリールアルキル、アリールオキシアルキル、アルコキシアルキル、アルコキシアルコキシアルキル、シクロアルキル、シクロアルキルアルキル、ヘテロアリール、ヘテロアリールアルキルもしくはヘテロアリールオキシアルキルである）
の化合物が提供される。